【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルが設けられたパネル設置領域、および前記パネル設置領域を囲む外縁領域を有する透明板と、
前記透明板の外縁領域に貼り合わせられた固定部、および前記固定部の、前記透明板の外形線に隣接する辺から起立する外側立ち上り部を有する取付部材と
を備えた表示装置。
【請求項２】
前記外縁領域は、
前記表示パネルの縦辺，前記表示パネルの横辺の延長線および前記透明板の外形線によって囲まれた縦外縁領域と、
前記表示パネルの横辺，前記表示パネルの縦辺の延長線および前記透明板の外形線によって囲まれた横外縁領域と、
前記表示パネルの縦辺の延長線，前記表示パネルの横辺の延長線，前記透明板の外形線によって囲まれた角領域と
を有し、
前記取付部材は、前記縦外縁領域または前記横外縁領域を超えて前記角領域に延在している
請求項１記載の表示装置。
【請求項３】
前記取付部材は、
前記縦外縁領域および前記角領域のうち少なくとも前記縦外縁領域に設けられた縦取付部材と、
前記横外縁領域および前記角領域のうち少なくとも前記横外縁領域に設けられた横取付部材と
を有し、
前記角領域には前記縦取付部材および前記横取付部材のうち少なくとも一方が延在している
請求項２記載の表示装置。
【請求項４】
前記角領域には、前記縦取付部材および前記横取付部材の両方が延在しており、
前記角領域における前記縦取付部材と前記横取付部材との境界線は、少なくとも一か所で屈曲している
請求項３記載の表示装置。
【請求項５】
前記角領域には、前記縦取付部材および前記横取付部材の両方が延在しており、
前記角領域における前記縦取付部材と前記横取付部材との境界線の少なくとも一部は、前記表示パネルの縦辺または横辺に対して傾斜している
請求項３または４記載の表示装置。
【請求項６】
前記透明板の角に、前記縦取付部材および前記横取付部材の両方に固定された連結部品を備えた
請求項２ないし５のいずれか１項に記載の表示装置。
【請求項７】
前記取付部材の外側立ち上り部は、前記表示パネルの側面を覆う外装部材を兼ねている
請求項１ないし６のいずれか１項に記載の表示装置。
【請求項８】
前記取付部材は、前記固定部の幅方向内側の辺から起立する内側立ち上り部を有する
請求項１ないし７のいずれか１項に記載の表示装置。
【請求項９】
前記取付部材は、前記外側立ち上り部の上端および前記内側立ち上り部の上端の間に天井部を有する
請求項８記載の表示装置。
【請求項１０】
前記取付部材は、前記外縁領域の全周にわたって一体に構成されている
請求項１，２，８または９のいずれか１項に記載の表示装置。
【手続補正２】
【補正対象書類名】明細書
【補正対象項目名】００１２
【補正方法】変更
【補正の内容】
【００１２】
図２は、図１に示した本体部２の一部を切り欠いて内部構成を表したものである。本体部２は、表示パネル１０の前面に透明板２０を有している。透明板２０上には、表示パネル１０の周囲に取付部材３０および外装部材４０が設けられている。表示パネル１０の背面は背面カバー（リアカバー）５０で覆われている。なお、図２以降では、透明板２０の背面に対して垂直な方向をｚ方向（前後方向）、透明板１０の左右方向をｘ方向、透明板２０の上下方向をｙ方向とする。
【手続補正３】
【補正対象書類名】明細書
【補正対象項目名】００３５
【補正方法】削除
【補正の内容】
【手続補正４】
【補正対象書類名】明細書
【補正対象項目名】００４３
【補正方法】変更
【補正の内容】
【００４３】
なお、図１５および図１６では、連結部品３５の外側立ち上り部３５Ｂが下方に（透明板２０側に）向いている場合を表しているが、連結部品３５の外側立ち上り面３５Ｂは、図１７に示したように、上向き（透明板２０から離れる方向に）向いていてもよい。
【手続補正５】
【補正対象書類名】明細書
【補正対象項目名】００４６
【補正方法】変更
【補正の内容】
【００４６】
（変形例９）
また、取付部材３０は、例えば図２０に示したように、外側立ち上り部３０Ｂの上端および内側立ち上り部３０Ｈの上端の間に天井部３０Ｉを有し、矩形の幅方向断面を有しているようにすることも可能である。このようにすることにより、取付部材３０の強度を更にいっそう高めることが可能となる。
【手続補正６】
【補正対象書類名】明細書
【補正対象項目名】００５１
【補正方法】変更
【補正の内容】
【００５１】
なお、本技術は以下のような構成を取ることも可能である。
（１）
表示パネルと、
前記表示パネルが設けられたパネル設置領域、および前記パネル設置領域を囲む外縁領域を有する透明板と、
前記透明板の外縁領域に貼り合わせられた固定部、および前記固定部の、前記透明板の外形線に隣接する辺から起立する外側立ち上り部を有する取付部材と
を備えた表示装置。
（２）
前記外縁領域は、
前記表示パネルの縦辺，前記表示パネルの横辺の延長線および前記透明板の外形線によって囲まれた縦外縁領域と、
前記表示パネルの横辺，前記表示パネルの縦辺の延長線および前記透明板の外形線によって囲まれた横外縁領域と、
前記表示パネルの縦辺の延長線，前記表示パネルの横辺の延長線，前記透明板の外形線によって囲まれた角領域と
を有し、
前記取付部材は、前記縦外縁領域または前記横外縁領域を超えて前記角領域に延在している
前記（１）記載の表示装置。
（３）
前記取付部材は、
前記縦外縁領域および前記角領域のうち少なくとも前記縦外縁領域に設けられた縦取付部材と、
前記横外縁領域および前記角領域のうち少なくとも前記横外縁領域に設けられた横取付部材と
を有し、
前記角領域には前記縦取付部材および前記横取付部材のうち少なくとも一方が延在している
前記（２）記載の表示装置。
（４）
前記角領域には、前記縦取付部材および前記横取付部材の両方が延在しており、
前記角領域における前記縦取付部材と前記横取付部材との境界線は、少なくとも一か所で屈曲している
前記（３）記載の表示装置。
（５）
前記角領域には、前記縦取付部材および前記横取付部材の両方が延在しており、
前記角領域における前記縦取付部材と前記横取付部材との境界線の少なくとも一部は、前記表示パネルの縦辺または横辺に対して傾斜している
前記（３）または（４）記載の表示装置。
（６）
前記透明板の角に、前記縦取付部材および前記横取付部材の両方に固定された連結部品を備えた
前記（２）ないし（５）のいずれか１項に記載の表示装置。
（７）
前記取付部材の外側立ち上り部は、前記表示パネルの側面を覆う外装部材を兼ねている
前記（１）ないし（６）のいずれか１項に記載の表示装置。
（８）
前記取付部材は、前記固定部の幅方向内側の辺から起立する内側立ち上り部を有する
前記（１）ないし（７）のいずれか１項に記載の表示装置。
（９）
前記取付部材は、前記外側立ち上り部の上端および前記内側立ち上り部の上端の間に天井部を有する
前記（８）記載の表示装置。
（１０）
前記取付部材は、前記外縁領域の全周にわたって一体に構成されている
前記（１），（２），（８）または（９）のいずれか１項に記載の表示装置。
【手続補正７】
【補正対象書類名】図面
【補正対象項目名】図３
【補正方法】変更
【補正の内容】
【図３】
2012168257.tif 000001